(57)【特許請求の範囲】
【請求項１】
右眼用画像および左眼用画像によって構成される立体画像を表示する表示装置であって、
右眼用画素および左眼用画素によって構成される立体視画素が水平方向および垂直方向に複数配置された画像表示部と、
少なくとも縦表示モードと横表示モードのいずれかを設定する表示モード設定手段と、
前記表示モード設定手段による設定に応じた視差バリアを形成する視差バリア形成手段と、
前記表示モード設定手段による設定に応じて前記画像表示部を制御する画像制御部とを備え、
前記右眼用画素および前記左眼用画素の各々は、赤色、青色、緑色のサブ画素をそれぞれ少なくとも１以上含み、かつ、サブ画素が配置されない未配置領域が少なくとも１つ設けられており、それぞれの画素内において、少なくとも１つの未配置領域の縦および横に隣接する同色の２つのサブ画素が配置され、
前記画像制御部は、
前記縦表示モードが設定されている場合、未配置領域を含む列のサブ画素を発色させず、左眼用画素および右眼用画素のそれぞれの画素が有するサブ画素のうち当該発色させないサブ画素以外のサブ画素の色の全てを発色させ、
前記横表示モードが設定されている場合、未配置領域を含む行のサブ画素を発色させないようにして、左眼用画素および右眼用画素のそれぞれの画素が有するサブ画素のうち当該発色させないサブ画素以外のサブ画素の色を全て発色させる、表示装置。
【請求項２】
前記未配置領域の縦および横に隣接して配置されるサブ画素は、赤色、青色、緑色のうちのいずれか１つの色のサブ画素である、請求項１に記載の表示装置。
【請求項３】
前記未配置領域の縦および横に隣接して配置されるサブ画素は、緑色のサブ画素である、請求項２に記載の表示装置。
【請求項４】
前記未配置領域の縦および横に隣接して配置される色の前記右眼用画素および前記左眼用画素の各々におけるサブ画素の数は、その他の色のサブ画素それぞれの数より多い、請求項１ないし３のいずれか１つに記載の表示装置。
【請求項５】
前記立体視画素において、前記未配置領域を含む列または行のサブ画素の総面積は、当該サブ画素の色ではない他の色のサブ画素それぞれの総面積より大きい、請求項１ないし４のいずれか１つに記載の表示装置。
【請求項６】
前記立体視画素において、前記未配置領域を含む列または行には、当該未配置領域の縦および横に隣接して配置されるサブ画素の色以外の色のサブ画素は配置されない、請求項１ないし５のいずれか１つに記載の表示装置。
【請求項７】
前記立体視画素において、前記未配置領域を含む列および行に隣接する列および行には、少なくとも１以上の赤色、青色、緑色のサブ画素が配置される、請求項１ないし６のいずれか１つに記載の表示装置。
【請求項８】
前記立体視画素には、水平方向および垂直方向にそれぞれ少なくとも４つのサブ画素が配置可能である、請求項１ないし７のいずれか１つに記載の表示装置。
【請求項９】
前記未配置領域を含む列または行の各サブ画素の幅は、その他のサブ画素の幅より狭い、請求項１ないし８のいずれか１つに記載の表示装置。
【請求項１０】
前記未配置領域を含む列または行の各サブ画素の幅は、その他のサブ画素の幅と実質的に同じである、請求項１ないし８のいずれか１つに記載の表示装置。
【請求項１１】
前記未配置領域を含む行または列にあるサブ画素に隣接する位置には、少なくとも立体画像を表示する場合には発色させないサブ画素が少なくとも１つ設けられている、請求項１ないし１０のいずれか１つに記載の表示装置。
【請求項１２】
前記立体視画素は、赤色、青色、緑色以外の色のサブ画素を少なくとも１以上含む、請求項１ないし１１のいずれか１つに記載の表示装置。
【請求項１３】
前記赤色、青色、緑色以外の色のサブ画素の色は、黄色および白色の少なくともいずれかである、請求項１２に記載の表示装置。
【請求項１４】
前記立体視画素において、ある１つのサブ画素の色が、当該立体視画素の左上から右下または右上から左下に延びる対角線に対して実質的に対称な位置にあるサブ画素の色と同じになるように、各サブ画素が配置される、請求項１ないし請求項１３のいずれか１つに記載の表示装置。
【請求項１５】
前記立体視画素において、ある１つのサブ画素の色が、当該立体視画素の特定の位置と実質的に点対称な位置にあるサブ画素の色と同じになるように、各サブ画素が配置される、請求項１ないし請求項１４のいずれか１つに記載の表示装置。
【請求項１６】
前記右眼用画素および前記左眼用画素のうちの一方における赤色、青色、緑色のサブ画素の所定方向における配置順番と、他方における赤色、青色、緑色のサブ画素の当該所定方向における配置順番とは異なるように各サブ画素は配置される、請求項１ないし１５のいずれか１つに記載の表示装置。
【請求項１７】
前記立体視画素において、左上または右上を始点として、水平方向に、少なくとも１つの赤色、青色、緑色のサブ画素が所定の順番で配置され、垂直方向にも、少なくとも１つの赤色、青色、緑色のサブ画素が当該所定の順番と同じ順番で配置される、請求項１ないし１６のいずれか１つに記載の表示装置。
【発明の詳細な説明】
【技術分野】
【０００１】
本発明は、立体画像を表示する表示装置に関する。
【背景技術】
【０００２】
従来から、立体性を有し現実感のある画像を表現するための、３次元の立体表現が可能な表示装置が知られている。一般的に、３次元を表現する立体画像は、両眼を介したステレオ視覚の原理によって形成される。両眼は約６５ｍｍ程度離れて存在するため、両眼視差を利用して立体感のある映像を示すことができる。
【０００３】
立体画像を表示するための技術として、眼鏡式の立体画像ディスプレイ、および無眼鏡式の立体画像ディスプレイがある。このうち、無眼鏡式の立体画像ディスプレイ方式として、左右眼に該当するそれぞれの画像の前に縦格子状の開口を介して画像を分離して観察することができるようにするパララックスバリア方式と、半円柱レンズをストライプ状で配置したレンチキュラー板を利用するレンチキュラー方式およびフライアイレンズ板を利用するインテグラルフォトグラフィ方式とが知られている。
【０００４】
上記の方式は、左／右眼用立体画像（左／右眼視点画像）をそれぞれ分離して見ることができるようにすることで３次元画像を具現する方式である視差方式ともいえる。上記の方式のうち、例えばパララックスバリア方式は、左／右眼用イメージ情報が表示される表示素子の一面に対して縦あるいは横方向に配置されたスリット状の開口を有し、右眼に対しては左眼に入射されるべき画像を遮断し、左眼に対しては右眼に入射されるべき画像を遮断することを特徴とするパララックスバリアを位置させることによって、両眼視差により最終的に使用者が３次元の立体画像を見ることができるようにするものである。
【０００５】
ここで、上記のような表示装置における１つの画素は、ＲＧＢ等の複数色のサブピクセルによって構成される。例えば、ＲＧＢのサブピクセルを縦方向に繰り返し配置するような立体画像表示装置が知られている（例えば特許文献１）。更には、縦方向および横方向それぞれにストライプ状のバリアを配置することにより、画面を９０度回転させても立体画像を視認させることができる立体画像表示装置も知られている。
【先行技術文献】
【特許文献】
【０００６】
【特許文献１】特開２０１２−１８２５６９号公報
【発明の概要】
【発明が解決しようとする課題】
【０００７】
上記のような、縦横それぞれにバリアを有する構成の立体画像表示装置においては、ＲＧＢのサブピクセルを縦方向に繰り返し配置する構造であることから、例えば、画面を９０度回転させて画面を視認するような場合（例えば、ポートレイトモードからランドスケープモードに切り替えて視認する場合）、右眼および左眼に入射されるＲＧＢの各量の増減割合が異なるという問題がある。具体的には、まず、ポートレイトモード（縦モードの画面）で画面を視認する場合を想定する。そして、この画面の場合、サブピクセルは、Ｒ、Ｇ、Ｂの順で（観察者の眼から見て）縦方向に配置されている状態であるとする。このような画面で視認している状況において、観察者が立体視表示を視認するのに適正な位置（例えば正面）から、少しだけ両眼の位置が左右いずれかに移動した（ずれた）とする。例えば、左側に少しずれた場合は、パララックスバリアが全体的に右側にシフトされた形態となる。つまり、パララックスバリアがサブピクセルの一部に重なるような状態である。このような場合でも、ポートレイトモードであれば、ＲＧＢのサブピクセルのサブピクセルは縦方向に配置されているため、パララックスバリアのＲＧＢのサブピクセルへの重なり具合も均等なものとなる。そのため、右眼および左眼に入射される赤、緑、青色の量はそれぞれ同じように減少したり、増加したりする。
【０００８】
一方、上記の状態から画面を９０度回転させて、ランドスケープモードで画面を視認する場合を想定する。この場合、上記サブピクセルの配置は、観察者から見て横方向にＲＧＢの順で配置される状態となる。つまり、観察者から見て縦方向には、赤、緑、青色のサブピクセルのそれぞれが縦一列に並んでいるような状態となる。そして、このような状態で、上記のように観察者が立体視表示を視認するのに適正な位置から、少しだけ両眼の位置が左に移動した場合を想定する（パララックスバリアが全体的に右側にシフトされた状態に見える）。この場合、観察者が見る画像としては、赤、緑、青色サブピクセルの中、青色サブピクセルＢの面積は増加し、反対に赤色サブピクセルＲの面積は小さくなり、青い色を帯びる画像となる。その結果、例えばこのピクセルで白色を表現しようとしても、ポートレイトモードの場合と比べて、きれいな白色にならない、という状況になる。つまり、カラー表示品位が低下するという問題がある。
【０００９】
それ故に、本発明の目的は、立体画像が表示可能な表示装置であって、画面を所定の姿勢から変化させても立体画像を視認可能な表示装置において、変化の前後でカラー表示品位を良好に維持することができる表示装置を提供することである。
【課題を解決するための手段】
【００１０】
上記目的を達成するために、例えば以下のような構成例が挙げられる。
【００１１】
右眼用画像および左眼用画像によって構成される立体画像を表示する表示装置であって、画像表示部と、表示モード設定手段と、視差バリア形成手段と、画像制御部とを備える。画像表示部には、右眼用画素および左眼用画素によって構成される立体視画素が水平方向および垂直方向に複数配置されている。表示モード設定手段は、少なくとも縦表示モードと横表示モードのいずれかを設定する。視差バリア形成手段は、表示モード設定手段による設定に応じた視差バリアを形成する。画像制御部は、表示モード設定手段による設定に応じて画像表示部を制御する。また、右眼用画素および左眼用画素の各々は、赤色、青色、緑色のサブ画素をそれぞれ少なくとも１以上含んでいる。そして、画像制御部は、縦表示モードが設定されている場合、水平方向において、第１の間隔毎にサブ画素を発色させず、垂直方向において、第２の間隔毎にサブ画素を発色させ、横表示モードが設定されている場合、垂直方向において、第２の間隔毎にサブ画素を発色させず、水平方向において、第１の間隔毎にサブ画素を発色させる。
【００１２】
他の構成例として、画像制御部により発色させる／発色させない制御が行なわれるサブ画素は、赤色、青色、緑色のうちのいずれか１つの色であっても良い。更には、当該サブ画素は緑色であっても良い。
【００１３】
他の構成例として、画像制御部により発色させる／発色させない制御が行なわれる色の右眼用画素および左眼用画素の各々におけるサブ画素の数は、その他の色のサブ画素それぞれの数より多くても良い。また、当該サブ画素の総面積は、その他の色のサブ画素それぞれの総面積より大きくても良い。
【００１４】
他の構成例として、立体視画素において、画像制御部により発色させる／発色させない制御が行なわれる色のサブ画素が配置されている列および行には、その他の色のサブ画素は配置されないように構成しても良い。
【００１５】
他の構成例として、立体視画素において、画像制御部により発色させる／発色させない制御が行なわれる色のサブ画素のみが配置されている列および行に隣接する列および行には、少なくとも１以上の赤色、青色、緑色のサブ画素が配置されるようにしても良い。
【００１６】
他の構成例として、画像制御部は、縦表示モードが設定されている場合は、水平方向において、第１の間隔の列毎に当該列内のサブ画素を発色させず、垂直方向において、第２の間隔の行毎に当該行内のサブ画素を発色させても良い。更に、横表示モードが設定されている場合は、垂直方向において、第２の間隔の行毎に当該行内のサブ画素を発色させず、水平方向において、第１の間隔の列毎に当該列内のサブ画素を発色させても良い。
【００１７】
他の構成例として、画像制御部は、縦表示モードが設定されている場合は、水平方向において、偶数番目に配置されているサブ画素を発色させず、垂直方向において、偶数番目に配置されているサブ画素を発色させ、横表示モードが設定されている場合は、垂直方向において、偶数番目に配置されているサブ画素を発色させず、水平方向において、偶数番目に配置されているサブ画素を発色させても良い。あるいは、画像制御部は、縦表示モードが設定されている場合は、水平方向において、奇数番目に配置されているサブ画素を発色させず、垂直方向において、奇数番目に配置されているサブ画素を発色させ、横表示モードが設定されている場合は、垂直方向において、奇数番目に配置されているサブ画素を発色させず、水平方向において、奇数番目に配置されているサブ画素を発色させても良い。
【００１８】
他の構成例として、立体視画素には、水平方向および垂直方向にそれぞれ少なくとも４つのサブ画素が配置可能であっても良い。
【００１９】
他の構成例として、画像制御部により選択的に発色させる／発色させない制御が行なわれる色の各サブ画素の幅は、その他の色のサブ画素の幅より狭くても良い。
【００２０】
他の構成例として、画像制御部により選択的に発色させる／発色させない制御が行なわれる色の各サブ画素の幅は、その他の色のサブ画素の幅と同じであっても良い。
【００２１】
他の構成例として、画像制御部により選択的に発色させる／発色させない制御が行なわれるサブ画素に隣接する位置には、サブ画素が配置されない未配置領域が少なくとも１つ設けられていても良い。
【００２２】
他の構成例として、画像制御部により選択的に発色させる／発色させない制御が行なわれるサブ画素に隣接する位置には、少なくとも立体画像を表示する場合には発色させないサブ画素が少なくとも１つ設けられていても良い。
【００２３】
他の構成例として、立体視画素は、赤色、青色、緑色以外の色のサブ画素を少なくとも１以上含んでいてもよく、当該赤色、青色、緑色以外の色のサブ画素の色は、黄色および白色の少なくともいずれかであっても良い。
【００２４】
他の構成例として、第１の間隔と第２の間隔とは同じ間隔であっても良い。
【００２５】
他の構成例として、立体視画素において、ある１つのサブ画素の色が、当該立体視画素の左上から右下または右上から左下に延びる対角線に対して実質的に対称な位置にあるサブ画素の色と同じになるように、各サブ画素が配置されても良い。
【００２６】
他の構成例として、立体視画素において、ある１つのサブ画素の色が、当該立体視画素の特定の位置と実質的に点対称な位置にあるサブ画素の色と同じになるように、各サブ画素が配置されても良い。
【００２７】
他の構成例として、右眼用画素および前記左眼用画素のうちの一方における赤色、青色、緑色のサブ画素の所定方向における配置順番と、他方における赤色、青色、緑色のサブ画素の当該所定方向における配置順番とは異なるように各サブ画素は配置されても良い。
【００２８】
他の構成例として、立体視画素において、左上または右上を始点として、水平方向に、少なくとも１つの赤色、青色、緑色のサブ画素が所定の順番で配置され、垂直方向にも、少なくとも１つの赤色、青色、緑色のサブ画素が当該所定の順番と同じ順番で配置されていても良い。
【００２９】
また、構成例の他の一例は、複数の視点に対応する複数の視点画像によって構成される立体画像を表示する表示装置であって、画像表示部と、画像制御部とを備える。画像表示部には、複数の視点画素によって構成される立体視画素が水平方向および垂直方向に複数配置されている。画像制御部は、当該画像表示部を制御する。更に、複数の視点画素の各々は、色を表現するために基本となる少なくとも第１の基本色と第２の基本色のサブ画素とを含む複数のサブ画素によって構成されている。そして、画像制御部は、水平方向および垂直方向において、所定の間隔毎にサブ画素を選択的に発色させる／発色させない制御を行なう。
【００３０】
また、構成例の他の一例は、複数の視点に対応する複数の視点画像によって構成される立体画像を表示する表示装置であって、画像表示部と、画像制御部とを備える。画像表示部には、複数の視点画素によって構成される立体視画素が水平方向および垂直方向に複数配置されている。画像制御部は、当該画像表示部を制御する。上記複数の視点画素の各々は、複数のサブ画素によって構成されている。そして、立体視画素には、赤色、青色、緑色のサブ画素がそれぞれ少なくとも１以上配置され、かつ、ある１つのサブ画素の色が、当該立体視画素の左上から右下または右上から左下に延びる対角線に対して実質的に対称な位置にあるサブ画素の色と同じとなるように、各サブ画素が配置される。
【００３１】
また、構成例の他の一例は、複数の視点に対応する複数の視点画像によって構成される立体画像を表示する表示装置であって、画像表示部と、画像制御部とを備える。画像表示部には、複数の視点画素によって構成される立体視画素が水平方向および垂直方向に複数配置される。画像制御部は、当該画像表示部を制御する。上記複数の視点画素の各々は、複数のサブ画素によって構成されている。そして、立体視画素には、赤色、青色、緑色のサブ画素がそれぞれ少なくとも１以上配置され、かつ、ある１つのサブ画素の色が、立体視画素の特定の位置と実質的に点対称な位置にあるサブ画素の色と同じとなるように、各サブ画素が配置される。
【００３２】
また、構成例の他の一例は、右眼用画像と左眼用画像によって構成される立体画像を表示する表示装置であって、画像表示部と、画像制御部とを備える。画像表示部には、右眼用画素および左眼用画素によって構成される立体視画素が水平方向および垂直方向に複数配置されている。画像制御部は、当該画像表示部を制御する。また、右眼用画素および左眼用画素の各々には、少なくとも１つの赤色、青色、緑色のサブ画素が配置されている。更に、右眼用画素および左眼用画素のうちの一方における赤色、青色、緑色のサブ画素の所定方向における配置順番と、他方における赤色、青色、緑色のサブ画素の当該所定方向における配置順番とは異なるように配置されている。ここで、右眼用画素および左眼用画素のうちの一方における赤色、青色、緑色のサブ画素の所定方向における配置順番と、当該右眼用画素および左眼用画素によって構成される立体視画素における赤色、青色、緑色のサブ画素の所定方向に垂直な方向における配置順番とは同じ順番であっても良い。
【００３３】
また、構成例の他の一例は、複数の視点に対応する複数の視点画像によって構成される立体画像を表示する表示装置であって、画像表示部と、画像制御部とを備える。画像表示部には、複数の視点画素によって構成される立体視画素が水平方向および垂直方向に複数配置されている。画像制御部は、当該画像表示部を制御する。上記立体視画素には、少なくとも１つの赤色のサブ画素、および、青色のサブ画素と、２つの緑色のサブ画素が配置されており、当該赤色のサブ画素と青色のサブ画素の間に第１の緑の画素が配置され、当該赤色のサブ画素と青色のサブ画素の外側となる位置に第２の緑の画素が配置されている。更に、第１の緑のサブ画素と第２の緑のサブ画素を合わせた大きさは、赤色または青色のサブ画素の大きさと同じである。
【００３４】
また、構成例の他の一例は、複数の視点に対応する複数の視点画像によって構成される立体画像を表示する表示装置であって、画像表示部と、画像制御部とを備える。画像表示部には、立体視画素が水平方向及び垂直方向に複数配置されている。画像制御部は、画像表示部を制御する。上記立体視画素は、水平方向および垂直方向に複数配置され、色を表現するために基本となる少なくとも第１の基本色と第２の基本色のサブ画素とを含む複数のサブ画素が配置される領域から構成されている。そして、画像制御部は、水平方向および垂直方向において、所定の間隔毎の領域内のサブ画素を当該領域単位で選択的に発色させる／発色させない制御を行なう。ここで、上記複数の領域は、立体視画素において、４行４列の領域からなるように構成しても良い。また、画像制御部により選択的に発色させる／発色させない制御が行なわれる領域の幅は、画像制御部により選択的に発色させる／発色させない制御が行なわれない領域の幅に等しい、または半分の幅であるように構成しても良い。
【００３５】
また、構成例の他の一例は、複数の視点に対応する複数の視点画像によって構成される立体画像を表示する表示装置であって、画像表示部と、画像制御部とを備える。画像表示部には、複数の視点画素によって構成される立体視画素が水平方向および垂直方向に複数配置されている。画像制御部は、当該画像表示部を制御する。上記複数の視点画素の各々は、複数のサブ画素によって構成されている。そして、立体視画素において、左上または右上を始点として、水平方向に、少なくとも１つの赤色、青色、緑色のサブ画素が所定の順番で配置され、垂直方向にも、少なくとも１つの赤色、青色、緑色のサブ画素が当該所定の順番と同じ順番で配置される。
【００３６】
また、構成例の他の一例は、右眼用画像と左眼用画像によって構成される立体画像を表示する表示装置であって、画像表示部と、画像制御部とを備える。画像表示部には、右眼用画素および左眼用画素によって構成される立体視画素が水平方向および垂直方向に複数配置される。画像制御部は、当該画像表示部を制御する。右眼用画素および左眼用画素の各々には、少なくとも１つの赤色、青色、緑色のサブ画素が縦方向に並べて配置されている。更に、縦方向に並べて配置された右眼用画素のサブ画素と左眼用画素のサブ画素との間には所定の幅の領域が設けられ、当該所定の幅の領域には、さらに少なくとも１つの赤色、青色、緑色のいずれかのサブ画素が配置される。また、画像制御部は、所定の幅の領域に設けられたサブ画素に対して発色させる／発色させない制御を行なうようにしてもよい。更に、所定の幅の領域に設けられたサブ画素の数は、縦方向に並べて配置された少なくとも１つの赤色、青色、緑色のサブ画素の数より少ない構成としても良い。
【発明の効果】
【００３７】
本実施形態によれば、画面を所定の姿勢から変化させても立体画像を視認可能な表示装置において、変化の前後でカラー表示品位を良好に維持することができる。
【図面の簡単な説明】
【００３８】
【図１】実施形態に係る表示装置１００の一例を示す模式図
【図２】画像分離部３０の制御の概念を示す模式図
【図３】実施形態に係る表示装置１００の一例を示すブロック図
【図４】立体視画素におけるサブ画素の配置パターン１を示す図
【図５】配置パターン１を使用した縦画面時の制御を示す模式図
【図６】配置パターン１を使用した横画面時の制御を示す模式図
【図７】本実施形態の効果について説明するための図
【図８】本実施形態の効果について説明するための図
【図９】発色制御対象を領域単位で捉えた場合の概念を説明するための図
【図１０】立体視画素におけるサブ画素の配置パターン２を示す図
【図１１】配置パターン２を使用した縦画面時の制御を示す模式図
【図１２】配置パターン２を使用した横画面時の制御を示す模式図
【図１３】立体視画素におけるサブ画素の配置パターン３を示す図
【図１４】配置パターン３を使用した液晶画面の一例を示す模式図
【図１５】配置パターン３を使用した縦画面時の制御を示す模式図
【図１６】配置パターン３を使用した横画面時の制御を示す模式図
【図１７】立体視画素におけるサブ画素の配置パターン４を示す図
【図１８】配置パターン４を使用した縦画面時の制御を示す模式図
【図１９】配置パターン４を使用した横画面時の制御を示す模式図
【図２０】立体視画素におけるサブ画素の配置パターン５を示す図
【図２１】配置パターン５を使用した縦画面時の制御を示す模式図
【図２２】配置パターン５を使用した横画面時の制御を示す模式図
【図２３】配置パターンの他の一例を示す図
【図２４】立体視画素におけるサブ画素の配置パターン６を示す図
【図２５】配置パターン６を使用した縦画面時の制御を示す模式図
【図２６】配置パターン６を使用した横画面時の制御を示す模式図
【図２７】立体視画素におけるサブ画素の配置パターン７を示す図
【図２８】配置パターン７を使用した縦画面時の制御を示す模式図
【図２９】配置パターン７を使用した横画面時の制御を示す模式図
【図３０】立体視画素におけるサブ画素の配置パターン８を示す図
【図３１】配置パターン８を使用した縦画面時の制御を示す模式図
【図３２】配置パターン８を使用した横画面時の制御を示す模式図
【図３３】立体視画素におけるサブ画素の配置パターン９を示す図
【図３４】配置パターン９を使用した縦画面時の制御を示す模式図
【図３５】配置パターン９を使用した横画面時の制御を示す模式図
【図３６】立体視画素におけるサブ画素の配置パターン１０を示す図
【図３７】配置パターン１０を使用した縦画面時の制御を示す模式図
【図３８】配置パターン１０を使用した横画面時の制御を示す模式図
【図３９】サブピクセルの形状の一例を示す図
【図４０】配置パターン１を左右に反転させたパターンの例を示す図
【図４１】配置パターンの他の一例を示す図
【図４２】パララックスバリアの構成の一例を示す図
【図４３】パララックスバリアの制御の一例を示す図
【図４４】パララックスバリアの制御の一例を示す図
【発明を実施するための形態】
【００３９】
以下、本発明の一実施形態について説明する。
【００４０】
本実施形態に係る立体画像表示装置（以下、単に表示装置と呼ぶ）は、複数の視点に対応する複数の視点画像によって構成される立体画像を表示する。表示装置は、水平方向および垂直方向に配置された複数の視点画素（ピクセル）を有する画像表示部と、画像表示部を制御する画像制御部とを備える。複数の視点画素の各々は、後述するようなパターンで配置されるサブ画素（サブピクセル）によって構成される。画像制御部は、水平方向に隣接する複数の視点画素によって構成される「立体視画素（立体視ピクセル）」を１つの単位として、複数の立体視画素を用いて、複数の視点画像を水平方向に沿って順次表示するように、画像表示部を制御する。
【００４１】
なお、表示装置は、プラズマディスプレイ、有機ＥＬディスプレイ、ＭＥＭＳディスプレイ、液晶ディスプレイなどである。本実施形態では、表示装置が液晶ディスプレイである場合を例に説明する。
【００４２】
また、表示装置が、携帯型の電話やスマートフォン等に代表されるような手持ち型端末に設けられるケースも想定されるため、本明細書で用いる「水平方向」や「垂直方向」という用語は、手持ち型端末の使い方によっては、厳密な意味で水平方向や垂直方向を示すものではない。例えば、本明細書で用いる「水平方向」は、観察者の左眼および右眼を結ぶ線が伸びる方向を意味する。例えば、本明細書で用いる「垂直方向」は、「水平方向」に対して垂直な方向を意味する。
【００４３】
また、手持ち型端末の場合、画面の向きに関して、画面（表示装置自体）を９０度右あるいは左に回転させて視認するような場合も考えられる。本実施形態では、観察者が画面を視認する際に、画面の長手方向が上記水平方向と一致（またはほぼ一致）するような横長な状態の画面（いわゆるランドスケープ表示）を「横画面」と呼ぶ。また、画面の長手方向が上記垂直方向と一致（またはほぼ一致）している縦長な状態の画面（いわゆるポートレート表示）を「縦画面」と呼ぶ。なお、本実施形態では、表示装置が「縦画面」の状態で用いられる場合を標準の状態であるものとする。すなわち、通常は、観察者は表示装置を「縦画面」で視認し、必要に応じて「横画面」となるように表示装置を持ち替えたり置き直したりして使用する場合を想定する。以下では、特に断りが無ければ、「縦画面」の状態を想定して（基準として）説明する。また、以下の説明の際に用いる図面に関して、「ｘ軸方向」と「ｙ軸方向」の概念を用いている図面が含まれている。これらについては、特に断りが無ければ、「ｘ軸方向」は表示装置が「縦画面」の状態における水平方向に対応し、「ｙ軸方向」は、表示装置が「縦画面」の状態における垂直方向に対応するものとして説明する。
【００４４】
本実施形態では、立体画像は、左眼視点画像および右眼視点画像によって構成される。「縦画面」の場合、左眼視点画像を構成する画素および右眼視点画像を構成する画素は、水平方向において交互に表示される。一方、「横画面」の場合、表示装置の姿勢が「縦画面」の状態における垂直方向において交互に表示される（観察者は、表示装置自体を９０度回転させた状態で立体画像を視認することになる）。なお、他の実施形態では、複数人の観察者が別の視点で立体画像を視認できるように、３以上の視点の画像を使用するようにしても良い。また、視点の数に関して、例えば観察者が２人存在しており、それぞれで同時に立体画像を視認できる技術も知られているが、これについては少なくとも４視点であるとする（右眼の視点、左眼の視点が２人分で、合計４視点と数える。同時に立体画像を視認できる位置の数は２つとなる）。
【００４５】
（第１の実施形態）
以下、第１の実施形態に係る表示装置について、図面を参照しながら説明する。図１は、第１の実施形態に係る表示装置１００を示す模式図である。
【００４６】
図１に示すように、表示装置１００は、画像表示部１０と、画像分離部３０とを有する。
【００４７】
画像表示部１０は、複数の視点画素（以下、単に画素と呼ぶ）によって構成される。各画素は、赤色、青色、緑色のサブ画素によって構成される。また、画像表示部１０の内部には、背面側から複数のサブ画素に向かって光を照射するバックライト（図示せず）も設けられている。
【００４８】
画像分離部３０は、左眼視点画像（左眼用画像）を構成する画素（画像表示部１０における画素Ｌ）から出射される画像光と右眼視点画像（右眼用画像）を構成する画素（画像表示部１０における画素Ｒ）から出射される画像光とを分離する。画像分離部３０は、パララックスバリアやレンチキュラレンズなどである。本実施形態では、画像分離部３０がパララックスバリアである場合について例示する。また、本実施形態では、画像分離部３０は、「縦画面」用のパララックスバリア（「縦画面」の状態で見ると、垂直方向に延びているパララックスバリア）と、「横画面」用のパララックスバリア（「縦画面」の状態で見ると、水平方向に延びているパララックスバリア）を有しており、「横画面」であるか「縦画面」であるかに応じて適宜切り替える制御が行なわれるものとする。図２は、本実施形態における画像分離部３０の制御の概念を示す模式図である。図２の例では、観察者の目から見て、画像表示部１０の前面側に、縦画面用パララックスバリア３０Ａと横画面用パララックスバリア３０Ｂが重なるようにして配置されている。そして、デフォルトではいずれのパララックスバリアも無効化されており、必要に応じて、いずれか一方のパララックスバリアが有効化される。すなわち、縦画面状態の時は、縦画面用パララックスバリア３０Ａが有効化され、横画面状態の時は、横画面用パララックスバリア３０Ｂが有効化されるという制御が行なわれる。
【００４９】
なお、各画素を構成する複数のサブ画素はそれぞれ、透明画素電極（図示せず）と、透明共通電極（図示せず）と、ＲＧＢカラーフィルタとを含む。透明画素電極および透明共通電極は、液晶（図示せず）を挟んで互いに対向するように配置される。透明画素電極には、スイッチング用の薄膜トランジスタ（図示せず）が接続される。薄膜トランジスタのスイッチング動作によって、透明画素電極に対して画像信号電圧が印加され、サブ画素が駆動される。透明画素電極と透明共通電極との間に発生した電位差によって、光学的異方性と分極性質とを有する液晶分子が励起される。各々のサブ画素における液晶分子同士の間には、透過率の差が生じる。複数のサブ画素は、バックライトの光からの光を受けて、各々の透過率および各々のカラーフィルタの色に応じて発色する。
【００５０】
図３は、第１の実施形態に係る表示装置１００を示すブロック図である。図３に示すように、表示装置１００は、画像表示部１０と、画像制御部５０と、判別部６０とを有する。
【００５１】
画像表示部１０は、上述したように、複数の画素によって構成される。具体的には、画像表示部１０は、水平方向および垂直方向に配置された複数の画素を有する。
【００５２】
ここで、複数のサブ画素（本実施形態では赤色、緑色、青色の３色のサブ画素）によって１つの画素が構成される（なお、当該サブ画素の配置については後述する）。水平方向に隣接する複数の画素（ここでは、２つの画素）によって１つの立体視画素が構成される。
【００５３】
立体視画素を構成する２つの画素のうち、一方の画素には、左眼視点画像を構成する画素が表示される。他方の画素には、右眼視点画像を構成する画素が表示される。すなわち、画素を１つの単位として、左眼視点画像および右眼視点画像が水平方向に沿って順に表示される。
【００５４】
なお、以下では、「Ｒ」は、赤色を示し、「Ｇ」は、緑色を示し、「Ｂ」は、青色を示している。
【００５５】
画像制御部５０は、画像表示部１０を制御する。具体的には、画像制御部５０は、複数の画素を用いて、複数の視点画像（左眼視点画像及び右眼視点画像）を水平方向に沿って交互に表示するように画像表示部１０を制御する。
【００５６】
また、画像制御部５０は、画素を構成するサブ画素のうち、一部のサブ画素についてのみ発色させ、残りのサブ画素は発色させないような制御を行なう。詳細は後述するが、縦横方向に配置されているサブ画素について、偶数番目に配置されているサブ画素は発色させず、奇数番目に配置されているサブ画素は発色させる、というような制御を行なう。また、その他、画素を複数の「領域」に分割し、この領域単位で発色させる／させない制御を行なっても良い。この場合、各領域内に配置されるサブ画素の数は１つとは限らず、複数のサブ画素が配置されていても良い。そして、ある領域に含まれているサブ画素についてまとめて発色制御の対象とすれば良い。つまり、上記の制御を行なう際に、制御対象については、個々の「サブ画素」単位で捉えてもよいし、（複数のサブ画素が含まれ得る）領域単位で捉えても良い。以下の説明では、基本的には、制御対象を個々のサブ画素単位で捉えた場合を例示して説明する。ただ、参考のために、後述の「配置パターン１」に関しては領域単位で捉えた例の説明も加える。
【００５７】
なお、本実施形態では、上記の制御で「発色させない」サブ画素については、どのような画像を表示装置１００が表示する場合であっても発色させない制御が行なわれる。
【００５８】
また、表示装置１００は、画面が上記「横画面」の状態であるか「縦画面」の状態であるか（換言すれば、画面の姿勢、あるいは表示装置１００の姿勢）を判別するための判別部６０も有している。この判別手法については、既知の手法を用いれば良い。例えば、表示装置１００が加速度センサを備える構成とし、当該加速度センサの検出結果に基づいて表示装置１００の姿勢を算出し、「横画面」の状態であるか「縦画面」の状態であるかを判別すること等が考えられる。当該判別部６０は、その判別結果を画像制御部５０に出力する。画像制御部５０は、当該判別部からの判別結果（つまり、画面が「横画面」であるか「縦画面」であるか）に基づいて、後述するようなサブ画素に関する制御を行なう。また、画像制御部５０は、当該判別結果に基づき、上記横画面用パララックスバリアと縦画面用パララックスバリアの有効化／無効化の切替制御も行なう。本実施形態では、画像制御部５０は、判別部からの出力結果に応じて２つの表示制御モードを切り替え、このモードに応じて画像表示部１０を制御する。具体的には、判別部６０からの出力が「横画面」であることを示す場合、画像制御部５０は表示制御モードとして「横表示モード」を設定する。一方、「縦画面」であることを示す場合は、表示制御モードとして「縦表示モード」を設定する。そして、画像制御部は、当該表示制御モードに応じたパララックスバリアを形成する。すなわち、「横表示モード」の場合は、上記縦画面用パララックスバリアを無効の状態とする制御を行ない、「縦表示モード」の場合は、横画面用パララックスバリアを無効の状態とする制御を行なう。
【００５９】
なお、他の実施形態では、上記判別部６０は用いずに、例えば観察者が所定の操作を行うことで上記「横表示モード」と「縦表示モード」を切り替え可能な構成としても良い。例えば、双方のモードを切り替えるためのスライド式のスイッチや、所定の設定画面における画面方向の設定操作等で、観察者の操作に応じて「横表示モード」と「縦表示モード」を切り替え可能に構成しても良い。
【００６０】
次に、第１の実施形態に係る立体視画素におけるサブ画素の配置について説明する。本実施形態では、ＲＧＢの３原色のサブ画素を、以下に説明するような配置パターンで配置する。以下では、７つの配置パターンを例示する。これらの配置パターンと以下に説明するような発色制御を行なうことで、本実施形態では、画面を「縦画面」で視認する場合でも「横画面」で視認する場合でも、右眼および左眼に入射される赤・緑・青色のそれぞれの量が均等なものとすることができる。換言すれば、画面を縦にして視認する場合でも、横にして視認する場合でも、１画素あたりの赤・緑・青色の割合（比率）が一定になるように、サブ画素を配置するものである。また、これにより、観察者が立体視を視認するための理想的な位置にいない場合であっても、立体視画像を視認することができる。
【００６１】
（配置パターン１）
図４は、第１の実施形態に係る立体視画素１２０におけるサブ画素の配置の一例を示す図である。以下では、図４に示す配置パターンを「配置パターン１」と呼ぶ。また、この図では、画面が「縦画面」である場合を示している。
【００６２】
図４に示す立体視画素１２０は、上記のように水平方向に隣接する２つの画素１２１および画素１２２とから構成されている。図４では、画素１２１が右眼用画素、画素１２２が左眼用画素であるとする。なお、この図は上記のように「縦画面」の場合を示しているため、「横画面」の場合は、右眼用画素および左眼用画素の割り当ても９０度回転する形で適宜変更されることになる。
【００６３】
図４の例では、右眼用画素１２１および左眼用画素１２２のそれぞれに６つのサブ画素が含まれており、立体視画素１２０に含まれるサブ画素の数は合計で１２である。右眼用画素１２１、左眼用画素１２２のそれぞれにおいて、サブ画素は、縦方向（ｙ軸方向）に２列、横方向（ｘ軸方向）に４行にわけて配置されている。１つの立体視画素１２０として見ると、４行４列にわたって配置されていることになる。つまり、立体視画素１２０は、各行・各列においてそれぞれ少なくとも４つのサブ画素が配置可能な構成となっている。また、各画素において、Ｇのサブ画素数がＲまたはＢのサブ画素数よりも多くなっている。
【００６４】
なお、以下の説明において、「行」は、「縦画面」状態での画面のｘ軸方向（左右方向）の並び（配列）に対応し、「列」は、ｙ軸方向（上下方向）の並びに対応するものとして説明する。
【００６５】
図４において、右眼用画素１２１では、まず、左側の列（立体視画素１２０全体で見た場合の第１列目）に、縦方向（ｙ軸方向）に沿ってＲ・Ｇ・Ｂ・Ｇの順番で４つのサブ画素が配置されている。右側の列（立体視画素１２０全体で見た場合の第２列目）については、ＲまたはＢのサブ画素に隣接する位置にそれぞれＧのサブ画素が１つずつ配置されている。換言すれば、Ｒのサブ画素とＢのサブ画素の間にＧのサブ画素を挟むように、かつ、Ｇのサブ画素同士は隣接しないように配置されている。また、Ｇのサブ画素とＧのサブ画素との間となる位置は、サブ画素が配置されていない未配置領域１２６（図４において、点線の四角形で示される領域）となっている。また、当該列の４行目となる位置も、未配置領域１２６となっている。
【００６６】
一方、左眼用画素１２２では、左側の列（立体視画素１２０全体で見た場合の第３列目）に、縦方向にＢ・Ｇ・Ｒ・Ｇの順番で４つのサブ画素が配置されている。つまり、右眼用画素１２１の左側列とは、ＲとＢの順番が逆となっている。左眼用画素１２２の右側の列（立体視画素１２０全体で見た場合の第４列目）には、上記右眼用画素１２１と同様に、ＲまたはＢのサブ画素に隣接する位置にそれぞれＧのサブ画素が１つずつ配置されている。また、当該Ｇのサブ画素同士の間となる位置は、未配置領域１２６となっている。また、当該列の４行目となる位置も、未配置領域１２６となっている。
【００６７】
また、右眼用画素１２１全体、あるいは左眼用画素１２２全体で見た場合、Ｒのサブ画素とＢのサブ画素の間に第１のＧのサブ画素（左側の列のＧのサブ画素に相当）が配置され、Ｒのサブ画素またはＢのサブ画素の外側に、第２のＧの画素（右側の列のサブ画素に相当）が配置されているともいえる。また、立体視画素１２０全体（ひいては、複数の立体視画素１２０の集合で構成される画像全体）でみた場合、Ｒのサブ画素またはＢのサブ画素の外側に配置されている第２のＧのサブ画素はＲのサブ画素とＢのサブ画素の間に配置されることになる。
【００６８】
また、立体視画素１２０全体としてみた場合、１行目のＲＧＢの並び順と、１列目のＲＧＢの並び順が同じ順、すなわち、Ｒ・Ｇ・Ｂ・Ｇの順となるように配置されている。つまり、立体視画素１２０の左上に位置するサブ画素を始点として、縦および横のいずれの方向にもＲ・Ｇ・Ｂ・Ｇの順番（つまり、同じ順番）で並ぶようにサブ画素が配置されている。また、サブ画素数の内訳についてみると、上記のように、Ｇのサブ画素の数は、ＲまたはＢのサブ画素より多い数となっている。具体的には、Ｒが２つ、Ｂが２つ、Ｇが４つ、という構成となっている。
【００６９】
また、右眼用画素と左眼用画素は、赤色、青色、緑色のサブ画素をそれぞれ少なくとも１以上含む構成ともなっている。
【００７０】
また、立体視画素１２０全体としてみた場合、１列目・３列目には、Ｒ、Ｇ、Ｂの全ての色のサブ画素が少なくとも１つは含まれているが、２列目、４列目にはＧのサブ画素のみが配置されている構成ともなっている。また、行で見た場合、１行目・３行目には、Ｒ、Ｇ、Ｂの全ての色のサブ画素が少なくとも１つは含まれ、２行目、４行目にはＧのサブ画素のみが配置されている構成ともなっている。なお、この偶数番目の列・行のサブ画素が、後述するような発色させる／させない制御の対象となる。換言すれば、後述の発色させる／させない制御の対象としない色のサブ画素は、偶数番目の列・行には配置されないという構成ともなっている。
【００７１】
ここで、サブ画素の横幅に関して説明する。配置パターン１では、縦画面、横画面状態のそれぞれにおいて、観察者からみた水平方向におけるサブ画素の横幅については、ＲおよびＢのサブ画素の横幅と、Ｇのサブ画素の横幅との比率が２：１となっている。なお、この横幅の比率については、この比率に限るものではない。例えば、ＲおよびＢのサブ画素の横幅と、Ｇのサブ画素の横幅との比率が１：１となるような配置でも良い（例えば後述する配置パターン２）。もちろん、その他の比率であっても良い。更には、縦画面状態と横画面状態とで、観察者からみた水平方向におけるサブ画素の横幅の比率が異なるようにしてもよい（例えば後述する配置パターン５）。
【００７２】
次に、各サブ画素の面積（大きさ）に関して説明する。配置パターン１では、Ｒのサブ画素とＢのサブ画素は同じ面積となっている。そして、Ｇのサブ画素の面積は、ＲまたはＢのサブ画素の半分の面積となっている。図４の例でいうと、ＲおよびＢのサブ画素は、長さｐの辺を有する正方形となっている。一方、Ｇのサブ画素は、長方形の形状を有しており、その長辺は長さｐを有し、短辺は長さｐの半分（ｐ/２）となっている（なお、Ｇのサブ画素については、横画面の状態において、その短辺側がｘ軸（横方向）に沿うように配置される）。そのため、Ｇのサブ画素の面積はＲまたはＢのサブ画素の半分となっている。換言すれば、１画素内において、Ｇのサブ画素を２つ合わせた面積は、ＲまたはＢのサブ画素の面積と同じとなる。また、Ｇのサブ画素数はＲおよびＢのサブ画素の合計数の２倍となっている。そのため、１画素内においてＲ、Ｇ、Ｂのサブ画素それぞれが占める面積は、同じ面積となる。なお、配置パターン１における未配置領域１２６については、ＲまたはＢのサブ画素の１/４の面積となっている。
【００７３】
また、配置パターン１に係るサブ画素の配置は、あるサブ画素の色が、立体視画素１２０の左上から右下に延びる対角線に対して実質的に線対称な位置にあるサブ画素の色と同じ色となるように配置されている。
【００７４】
次に、上記のようにサブ画素が配置されている立体視画素１２０の制御に関して説明する。画像制御部５０は、画面が「縦画面」であるか「横画面」であるか（上記判別部６０の判別結果）に応じて、各画素におけるＧのサブ画素のいずれかを発色させる／させない、という制御を行なう。具体的には、画面が「縦画面」の場合は、水平方向において、第１の間隔毎にサブ画素を発色させず、垂直方向において、第２の間隔毎にサブ画素を発色させる制御を行なう。また、画面が「横画面」の場合は、垂直方向において、上記第２の間隔毎にサブ画素を発色させず、水平方向において、上記第１の間隔毎にサブ画素を発色させるという制御を行なう。
【００７５】
より具体的には、立体視画素１２０において、左上のサブ画素を始点として偶数番目（上記第１の間隔および第２の間隔に相当）となる行または列にあるサブ画素を、縦画面であるか横画面であるかに応じて選択的に発色させる/発色させない、という制御を行なう。別の言い方をすると、サブ画素の配置順番において、偶数番目のサブ画素について、選択的に発色させる/発色させない、という制御を行なう。本実施形態の例では、「横画面」の場合でも「縦画面」の場合でも、観察者の目から見て、縦方向に並んでいるサブ画素の列（観察者目線による「列」、更に言うと、その画面状態のときに用いられるパララックスバリアの長手方向に沿う並び）であって、ＲとＢのサブ画素が存在しない列のサブ画素については発色させないような制御を行なうことになる。
【００７６】
当該制御について、図５〜図６を用いて説明する。図５は、画像制御部５０が「縦表示モード」で動作する場合の、立体視画素１２０の発色状態を示す図である。この図では、立体視画素１２０の左上に位置するサブ画素を始点として、２列目および４列目に位置することになるＧのサブ画素を発色させていないことを示す（黒塗りのサブ画素が、発色していないことを示す。以下同様）。これは、偶数番目の列のサブ画素を発色させない制御であるともいえる。つまり、立体視画素１２０の１列目のＲ・Ｇ・Ｂ・Ｇのサブ画素と、３列目（左眼用画素１２２の１列目に相当）のＢ・Ｇ・Ｒ・Ｇのサブ画素のみが発色している状態である。換言すれば、立体視画素１２０の左端から数えて偶数番目に配置されているＧのサブ画素を発色させないという制御となっている。このように、偶数番目の列を発色させないようにすることで、立体視画素１２０において発色がない領域を生成する。これにより、観察者が立体視を視認するための理想的な位置にいない場合であっても、観察者に立体視画像を視認させることが可能となる。
【００７７】
一方、画像制御部５０が「横表示モード」で動作する場合は、図６に示すような発色状態となる。なお、画面は「横画面」の状態であるため、実際に観察者の目から見る場合は、図６で示すような画面を右または左に９０度回転した状態で見られることになる。図６で示す発色制御では、上記図５の場合と比べると、ＲとＢのサブ画素を含む行である１行目および３行目のサブ画素のみを発色させている。２行目、４行目、つまり、上から偶数番目の行にあるサブ画素（図６ではＧのサブ画素となる）については発色させない制御となっている。換言すれば、立体視画素１２０において、上から数えて偶数番目に配置されているＧのサブ画素を発色させないという制御となっている。
【００７８】
また、図４において、１列目のＲのサブ画素やＢのサブ画素は、縦画面状態においては右眼用画素１２１に含まれていることになる。そのため、縦画面状態において、これらのサブ画素は、右眼用画素としての制御が行なわれる。ここで、画面を左に９０度回転させた場合を考える（図６を左に９０度回転した場合を想定）。この場合、上記Ｒのサブ画素については、縦画面状態の時と同様に右眼用画素１２１に含まれるが、Ｂのサブ画素については、左眼用画素に含まれることになる。そのため、当該Ｂのサブ画素は、（左に９０度回転させた場合の）横画面状態のときは左眼用画素として制御されることになる。換言すれば、（左に９０度回転させた場合の）横画面状態における当該Ｂのサブ画素の発色制御は、縦画面状態における３列目のＢのサブ画素の発色制御と同じ制御となる。また、今度は縦画面状態から画面を右に９０度画面を回転させた場合を考える（図６を右に９０度回転）。この場合は、上記左回転の場合とは逆に、Ｒのサブ画素が左眼用画素に含まれ、Ｂのサブ画素は右眼用画素のまま、という関係になる。そのため、（右に９０度回転させた場合の）横画面状態の場合は、Ｒのサブ画素が左眼用画素として制御されることになる。換言すれば、（右に９０度回転させた場合の）横画面状態における当該Ｒのサブ画素の発色制御は、縦画面状態における３列目のＲのサブ画素の発色制御と同じ制御となる。
【００７９】
つまり、縦画面状態から画面を左に９０度回転させて横画面状態とした場合は、Ｂのサブ画素は、右眼用画素としての役割と左眼用画素としての役割が入れ替わるが、Ｒのサブ画素は、回転前後でその役割の変更がない。一方、縦画面状態から画面を右に９０度回転させて横画面状態とした場合は、Ｒのサブ画素は、右眼用画素としての役割と左眼用画素としての役割が入れ替わるが、Ｂのサブ画素は、回転前後でその役割の変更がない、という対応関係がある。
【００８０】
上記のように、画像制御部５０は、立体視画素１２０の左上に位置するサブ画素を始点として、配置の順番において偶数番目の列または行のサブ画素を、横表示モードであるか縦表示モードであるかに応じて選択的に発色させる/させない、という制御を行なっている。また、図５、図６の例で言うと、縦表示モードでは、Ｇのサブ画素の少なくとも１つを発色させず、横表示モードでは、他の少なくとも一つのＧのサブ画素を発色させない制御を行なうとも言える。換言すれば、発色させない（発色させる）Ｇのサブ画素が、縦表示モードと横表示モードとで異なっていることになる。また、上記のような配置の結果、このような選択的に発色させる/させない制御が行なわれつつも、縦表示モードと横表示モードのいずれのモードであっても、ＲＧＢそれぞれのサブ画素が少なくとも１つは発色されている状態ともなっている。
【００８１】
このように、配置パターン１では、立体視画素１２０に含まれるサブ画素について上記図４で示したように配置している。これにより、画面を「縦画面」にしたときでも「横画面」にしたときでも、観察者の視認位置が変化した場合の観察者の両眼に入射するＲＧＢの量を同じように増加あるいは減少させることができる。例えば、観察者の両眼の位置が、立体視表示の視認に適正な位置から少し左にずれたような場合を想定する。この場合に「縦画面」であるときは、観察者から見ると、図７に示すように、縦画面用のパララックスバリア３０Ａが１列目・３列目のサブ画素の左端に一部重なるような状態となる。また、「横画面」の場合は、図８（この図では、画面を９０度左に回転させた状態で示している）に示すように、横画面用のパララックスバリア３０Ｂが、図８におけるｘ軸方向に沿った１列目・３列目のサブ画素の左端に一部重なるような状態となる（縦画面として考えた場合、１行目、３行目の上端に重なることになる）。いずれの場合でも、ＲＧＢの減少具合としては均等な割合で減少することになる。また、例えば図５では、Ｇのサブ画素が配置されている２列目と４列目のエリアが存在することで、観察者が立体視を視認するための理想的な位置にいない場合であっても、きれいに立体視画像を視認できる。つまり、観察者の位置がこのような理想的な位置から少しずれたとしても、例えば左眼用の画像を見ているときに、右目用の画像も左眼に入射されてしまうことを防ぐことができる。その結果、観察者は、隣の画素にかかる画像を視認することはないため、このような場合でも、きれいな立体視を視認することができる。更には、このように理想的な位置にいなくても立体視をきれいに視認できるようにするための上記エリア（例えば、２列目、４列目）にＧのピクセルを配置することで、立体視画素１２０の領域を有効活用することもできる。
【００８２】
なお、上記の説明では、発色制御の対象をサブ画素単位で捉えている例を挙げて説明した。ここで、上述したような、発色制御の対象を「領域」単位で捉え、上記配置パターン１を適用した場合について説明する。図９は、上記配置パターン１について、発色制御の対象を領域単位で考えた場合の概念を示す図である。図９では、立体視画素１２０を４×４の領域に分割している。各領域の大きさの比率や配置レイアウトは、上記配置パターン１に準じている。すなわち、図９の領域Ａ１および領域Ｃ３が図４におけるＲのサブ画素に対応し、領域Ａ３および領域Ｃ１が図４におけるＢのサブ画素に対応する関係である。また、領域Ａ２、領域Ａ４、領域Ｂ１、領域Ｂ３、領域Ｃ２、領域Ｃ４、領域Ｄ１、および領域Ｄ３が、図４におけるＧのサブ画素に対応する関係である。また、領域Ｂ２、領域Ｂ４、領域Ｄ２、領域Ｄ４は、図４の未配置領域１２６に対応するような関係となっている（すなわち、これら領域にはサブ画素は配置されない）。各領域に配置されるサブ画素の数は１つとは限らず、複数のサブ画素が含まれ得る。また、各領域に配置されるサブ画素の色についても、上記配置パターン１に準ずる。例えば、領域Ａ１、領域Ｃ３には、Ｒのサブ画素のみが複数配置される。そして、上記「横表示モード」の場合は、図９の領域Ｂ１、領域Ｂ３、領域Ｄ１、領域Ｄ３のそれぞれに配置されているサブ画素を発色させない制御が行なわれる。また、上記「縦表示モード」の場合は、領域Ａ２、領域Ｃ２、領域Ａ４、領域Ｃ４のそれぞれに配置されているサブ画素を発色させない制御が行なわれる。このように、領域単位でサブ画素の発色制御を行なうようにしても、上述したものと同様の効果が得られる。なお、上記の例では各領域に含まれるサブ画素の色が同じ色（一色）である場合を例に挙げている。他の実施例では、各領域に含まれるサブ画素の色が２色以上であるよう構成しても良い。つまり、ある領域において複数色のサブ画素が含まれるような構成としても良い。
【００８３】
また、当該配置パターン１では、ＲおよびＢのサブ画素については、その縦辺・横辺は同じ長さ（すなわち、正方形）であり、Ｇのサブ画素については、縦辺と横辺とで長さが異なる（長辺と短辺を有する）構成としている。この辺の長さに関しては、この例に限らず、任意の長さとしても良い。
【００８４】
（配置パターン２）
次に、サブ画素の配置の別の一例について図１０を用いて説明する。以下では、図１０に示す配置パターンを「配置パターン２」と呼ぶ。この図も、画面が「縦画面」である場合を示している。
【００８５】
図１０の配置パターンでは、立体視画素１２０に含まれるサブ画素の数は合計で８である。つまり、配置パターン１よりも、１立体視画素あたりのサブ画素の総数が抑えられているといえる。その内訳としては、ＲとＢの画素数が２つずつ、Ｇの画素数が４つ、となっている。立体視画素１２０全体で見た場合、ＲまたはＢのサブ画素の数よりも多い数のＧのサブ画素が配置されていることになる。
【００８６】
図１０の右眼用画素１２１において、左側の列（立体視画素１２０の第１列目）には、サブ画素がＲ、Ｇ、Ｂの順で一つずつ縦方向に配置されている。Ｂのサブ画素の下は未配置領域１２６となっている。また、右側の列（立体視画素１２０の第２列目）には、上記ＲまたはＢのサブ画素に隣接する位置にそれぞれＧのサブ画素が１つずつ配置されている。また、それぞれのＧのサブ画素の下方となる位置（ＲまたはＢのサブ画素に隣接しない位置）は、未配置領域１２６となっている。
【００８７】
一方、左眼用画素１２２において、左側の列（立体視画素１２０の第３列目）には、サブ画素がＢ、Ｇ、Ｒの順に一つずつ縦方向に配置されている。つまり、右眼用画素１２１の左側の列におけるサブ画素とは異なる順番（この例では逆順）で配置されている。Ｒのサブ画素の下には未配置領域１２６が設けられている。また、右側の列（立体視画素１２０の第４列）は、全て未配置領域１２６となっている。
【００８８】
また、立体視画素１２０の左上に位置するサブ画素（１列１行目の位置）を始点として見た場合、そこから右方向および下方向にそれぞれ、サブ画素がＲ、Ｇ、Ｂの順番（同じ順番）で並ぶように配置されている。つまり、立体視画素の左上に位置するサブ画素を始点として、横方向と縦方向とに同じ順番でＲ、Ｇ、Ｂのサブ画素が配置されている。
【００８９】
また、立体視画素１２０全体として見た場合、８つのサブ画素が環状に配置されているともいえる。そして、このような配置の８つのサブ画素を立体視画素１２０の左上に寄せたような配置となっている。また、上記配置パターン１と同様に、あるサブ画素の色が、立体視画素１２０の左上から右下に延びる対角線に対して実質的に線対称な位置にあるサブ画素の色と同じ色となるような配置でもある。
【００９０】
また、配置パターン２では、立体視画素１２０内に配置されるサブ画素それぞれの縦辺・横辺は同じ長さｐとなっており（つまり、正方形となっている）、その面積も同じとなっている。換言すれば、配置パターン２では、縦画面、横画面状態のそれぞれにおいて、観察者からみた水平方向におけるサブ画素の横幅については、ＲおよびＢのサブ画素の横幅と、Ｇのサブ画素の横幅との比率は１：１となる。
【００９１】
配置パターン２を用いた立体視画素１２０の制御については、基本的には上記配置パターン１の場合と同じである。すなわち、立体視画素１２０の左上に位置するサブ画素を始点として、配置の順番において偶数番目のサブ画素（図１０では、いずれかのＧのサブ画素となる）を、横表示モードであるか縦表示モードであるかに応じて選択的に発色させる/させない、という制御を行なっている。
【００９２】
図１１〜図１２に、配置パターン２の場合の立体視画素１２０の制御の例を示す。図１１は、「縦表示モード」の時の立体視画素１２０の発色状態を示す。また、図１２は、「横表示モード」の時の立体視画素１２０の発色状態を示す。「縦表示モード」では、立体視画素１２０の左上に位置するサブ画素を始点として、配置の順番において左から偶数番目に配置されているサブ画素（偶数番目の列に配置されているサブ画素）を発色させない制御が行なわれる。図１１では左から２列目にあるサブ画素を発色させていないことが示される。一方、図１２に示す「横表示モード」では、立体視画素１２０の左上に位置するサブ画素を始点として、配置の順番において上から偶数番目に配置されているサブ画素（偶数番目の行に配置されているサブ画素）を発色させない制御が行なわれる。図１２では、上から２行目にあるサブ画素を発色させていないことが示される。つまり、配置パターン１の場合と同様に、画像制御部５０は、立体視画素１２０の左上に位置するサブ画素を始点として、配置の順番において偶数番目となるサブ画素を、縦表示モードであるか横表示モードであるかに応じて選択的に発色させる/させない、という制御を行なっている。
【００９３】
なお、配置パターン２では、発色させるサブ画素と発色させないサブ画素の各辺の長さ（幅）は同じものであるともいえる。
【００９４】
このような配置パターン２を用いた制御を行なった場合も、上記配置パターン１と同様の効果が得られる。
【００９５】
なお、当該配置パターン２は、立体視画素１２０全体で見た場合、図１０で示したように中央に未配置領域１２６があり、その周囲に環状に配置されている８つのサブ画素の集合が、立体視画素１２０の左上に寄せるような形で配置されている。他の実施形態では、このサブ画素の集合の配置位置を、立体視画素１２０の右上に寄せるようにした配置であっても良いし、左下や右下に寄せるようにした配置であってもよい。なお、この場合は、発色させる／発色させない制御の対象となる列または行も変更されることになる。すなわち、この環状に配置された８つのサブ画素に着目した場合に、上記図１１および図１２で示したような制御と同じような制御となるように、制御対象となる行または列を適宜変更すればよい。
【００９６】
（配置パターン３）
次に、サブ画素の配置の別の一例について図１３を用いて説明する。以下では、図１３に示す配置パターンを「配置パターン３」と呼ぶ。この図も、画面が「縦画面」である場合を示している。
【００９７】
図１３の配置パターンでは、立体視画素１２０に含まれるサブ画素の数は合計で８である。その内訳としては、ＲとＢの画素数が２つずつ、Ｇの画素数が４つ、となっている。つまり、上記配置パターン１や２と同様、ＲまたはＢのサブ画素数よりも多い数のＧのサブ画素が配置されている。
【００９８】
図１３の右眼用画素１２１において、左側の列には、サブ画素がＲ、Ｇ、Ｂの順で一つずつ縦方向に配置されている。Ｂのサブ画素の下は未配置領域１２６となっている。また、右側の列については、上記Ｒのサブ画素に隣接する位置にＧのサブ画素が１つ配置されている。当該Ｇのサブ画素の下方は全て未配置領域１２６となっている。
【００９９】
一方、左眼用画素１２２では、左側の列には、まず、一番上にＢのサブ画素が配置される。そして、下方向に向けて、サブ画素１つ分の未配置領域１２６を挟むようにしてＲのサブ画素が配置されている。その下には、Ｇのサブ画素が配置されている。左眼用画素１２２の右側の列には、左側の列のＲのサブ画素に隣接する位置にＧのサブ画素が配置されている。
【０１００】
図１３の立体視画素１２０全体で見た場合、左上の位置にＲのサブ画素を配置し、これを始点として縦方向（下方向）および横方向（右方向）に同じ順番（Ｒ、Ｇ、Ｂの順）でサブ画素が配置されている。この配置は、逆Ｌ字型にもなっている。そして、立体視画素１２０の右下となる位置にも、３つのサブ画素（１つのＲと２つのＧ）が逆Ｌ字型になるよう配置されている。図１３では１つの立体視画素１２０のみを示しているが、実際の液晶画面は、このような立体視画素１２０が縦横に並べられて構成されている。そのため、複数の立体視画素１２０（つまり、画面全体）で考えた場合、上記のような逆Ｌ字型のサブ画素群が、未配置領域１２６を挟むようにして斜め方向に並べられた配置パターンとなる（図１４参照）。
【０１０１】
また、配置パターン３においても、あるサブ画素の色が、立体視画素１２０の左上から右下に延びる対角線に対して実質的に線対称な位置にあるサブ画素の色と同じ色となるような配置となっている。
【０１０２】
また、配置パターン３では、立体視画素内に配置されるサブ画素それぞれの縦辺・横辺は同じ長さであり、その面積も同じとなっている。また、配置パターン３では、縦画面、横画面状態のそれぞれにおいて、観察者からみた水平方向におけるサブ画素の横幅については、ＲおよびＢのサブ画素の横幅と、Ｇのサブ画素の横幅との比率は１：１ともなっている。
【０１０３】
配置パターン３を用いた立体視画素１２０の制御についても、基本的には上記配置パターン１の場合と同じである。すなわち、立体視画素１２０の左上に位置するサブ画素を始点として、配置の順番において偶数番目のサブ画素（図１３では、いずれかのＧのサブ画素となる）を、縦表示モードであるか横表示モードであるかに応じて選択的に発色させる/させない、という制御を行なっている。
【０１０４】
図１５〜図１６に、配置パターン３の場合の立体視画素１２０の制御の例を示す。図１５は、「縦表示モード」の時の立体視画素１２０の発色状態を示す。図１６は、「横表示モード」の時の立体視画素１２０の発色状態を示す。「縦表示モード」では、立体視画素１２０の左上に位置するサブ画素を始点として、横方向で偶数番目のサブ画素、図１５の例では、左から２列目及び４列目にあるＧのサブ画素を発色させない制御が行なわれる。一方、「横表示モード」では、立体視画素１２０の左上に位置するサブ画素を始点として、配置の順番において縦方向で偶数番目のサブ画素、図１６の例では、上から２行目と４行目のＧのサブ画素を発色させない制御が行なわれる。
【０１０５】
なお、配置パターン３でも、発色させるサブ画素と発色させないサブ画素の各辺の長さ（幅）は同じものであるともいえる。
【０１０６】
このような配置パターン３を用いた制御を行なった場合も、上記配置パターン１と同様の効果が得られる。すなわち、「縦画面」の場合でも「横画面」の場合でも、観察者の視認位置が変化した場合の観察者の両眼に入射するＲＧＢの量を同じように増加あるいは減少させることができる。
【０１０７】
（配置パターン４）
次に、サブ画素の配置の更に別の一例について図１７を用いて説明する。以下では、図１７に示す配置パターンを「配置パターン４」と呼ぶ。この図も、画面が「縦画面」である場合を示している。
【０１０８】
図１７で示す配置パターン４では、立体視画素１２０に含まれるサブ画素の数は合計で８である。その内訳としては、ＲとＢの画素数が２つずつ、Ｇの画素数が４つ、となっている。上記各配置パターンと同様、ＲまたはＢのサブ画素数よりも多い数のＧのサブ画素が配置されている。
【０１０９】
図１７で示す配置パターン４では、右眼用画素１２１における左側の列に、サブ画素がＲ、Ｇ、Ｂの順で一つずつ縦方向に配置されている。Ｂのサブ画素の下は未配置領域１２６となっている。また、右側の列は、上記ＲおよびＢのサブ画素に隣接する位置にＧのサブ画素が１つずつ配置されている。また、Ｇのサブ画素の下方も未配置領域１２６となっている。
【０１１０】
一方、左眼用画素１２２では、左側の列には、まず、一番上の位置にＢのサブ画素が配置される。そして、その下にサブ画素１つ分の未配置領域１２６を挟むようにしてＲのサブ画素が配置されている。その下には、Ｇのサブ画素が配置されている。左眼用画素１２２の右側の列は、全て未配置領域１２６となっている。
【０１１１】
また、立体視画素１２０全体として見た場合、３行目のサブ画素の（横方向の）並び順は、１行目のサブ画素の並び順と逆の順（異なる順番）になっている。
【０１１２】
また、配置パターン４も、立体視画素内に配置されるサブ画素それぞれの縦辺・横辺は同じ長さであり、その面積も同じとなっている。そのため、配置パターン４でも、縦画面、横画面状態のそれぞれにおいて、観察者からみた水平方向におけるサブ画素の横幅については、ＲおよびＢのサブ画素の横幅と、Ｇのサブ画素の横幅との比率は１：１となる。
【０１１３】
配置パターン４を用いた立体視画素１２０の制御についても、上記各配置パターンと同様である。すなわち、立体視画素１２０の左上に位置するサブ画素を始点として、配置の順番において偶数番目のサブ画素（図１７では、いずれかのＧのサブ画素となる）を、縦表示モードであるか横表示モードであるかに応じて選択的に発色させる/させない、という制御を行なっている。
【０１１４】
図１８〜図１９に、配置パターン４の場合の立体視画素１２０の制御の例を示す。図１８は、「縦表示モード」の時の立体視画素１２０の発色状態を示す。図１９は、「横表示モード」の時の立体視画素１２０の発色状態を示す。「縦表示モード」では、立体視画素１２０の左上に位置するサブ画素を始点として、横方向で偶数番目のサブ画素、図１８では、左から２列目にあるＧのサブ画素を発色させない制御が行なわれる。一方、「横表示モード」では、立体視画素１２０の左上に位置するサブ画素を始点として、配置の順番において縦方向で偶数番目のサブ画素、図１９では、上から２行目と４行目のＧのサブ画素を発色させない制御が行なわれる。
【０１１５】
なお、配置パターン４でも、発色させるサブ画素と発色させないサブ画素の各辺の長さ（幅）は同じである。
【０１１６】
このような配置パターン４を用いた制御を行なった場合も、上記配置パターン１〜３と同様の効果が得られる。すなわち、「縦画面」の場合でも「横画面」の場合でも、観察者の視認位置が変化した場合の観察者の両眼に入射するＲＧＢの量を同じように増加あるいは減少させることができる。
【０１１７】
（配置パターン５）
次に、サブ画素の配置の更に別の一例について図２０を用いて説明する。以下では、図２０に示す配置パターンを「配置パターン５」と呼ぶ。この図も、画面が「縦画面」である場合を示している。
【０１１８】
図２０の配置パターン５では、立体視画素１２０に含まれるサブ画素の数は合計で１６である。その内訳としては、右眼用画素１２１と左眼用画素１２２のそれぞれで、ＲとＢの画素数が２つずつ、Ｇの画素数が４つ、となっている。上述の配置パターン１等と同じく、立体視画素１２０全体で見た場合、ＲまたはＢのサブ画素の数よりも多い数のＧのサブ画素が配置されていることになる。
【０１１９】
また、配置パターン５では、立体視画素１２０に含まれる行列の数として、６列４行という構成となっている。右眼用画素１２１と左眼用画素１２２のそれぞれでみると、３列４行という構成となる。
【０１２０】
図２０の右眼用画素１２１において、まず、１列１行目に、Ｂのサブ画素が配置されている。その右隣となる２列１行目には、Ｒのサブ画素が配置されている。更にその右隣となる３列１行目には、Ｇのサブ画素が配置されている。次に、第２行目には、Ｇのサブ画素が、１〜２列目に跨がるように配置されている。そして、その右隣となる３列２行目となる位置は、未配置領域１２６となっている。次に、第３行目を見ると、１列３行目に、Ｒのサブ画素が配置されている。その右隣となる２列３行目には、Ｂのサブ画素が配置されている。更にその右隣となる３列３行目には、Ｇのサブ画素が配置されている。つまり、第１行目の配置からＲとＢの位置を入れ替えた配置となっている。次に、第４行目を見ると、第２行目と同じく、Ｇのサブ画素が、１〜２列目に跨がるように配置されている。そして、その右隣となる３列４行目となる位置は、未配置領域１２６となっている。
【０１２１】
ここで、Ｒ、Ｂ、Ｇそれぞれのサブ画素の大きさや形状、配置方向について説明する。図２０で示されるように、Ｒ、Ｂ、Ｇそれぞれのサブ画素の大きさは同じであり、その形状は長方形の形状となっている。この長方形は、長辺の長さが短辺の２倍の長さとなる形状である。そして、１行目および３行目においては、サブ画素が縦長となるように配置されている。一方、２行目、４行目では、サブ画素が横長となるように配置されている。
【０１２２】
次に、図２０の左眼用画素１２２におけるサブ画素の配置について説明する。図２０で示すように、基本的には、右眼用画素１２１と同じような配置となっている。但し、１行目および３行目にかかるＲとＢのサブ画素の配置が、右眼用画素１２１のものとは逆の配置となっている。
【０１２３】
次に、配置パターン５を用いた立体視画素１２０の制御について説明する。この配置パターンの場合でも、横表示モードであるか縦表示モードであるかに応じて（Ｇの）サブ画素を選択的に発色させる／させない制御が行なわれる。但し、この配置パターンでは上記行と列の数が不一致となる構成であるため、列方向（縦方向）と行方向（横方向）とで、制御対象となるサブ画素の配置順番が異なる関係となる。
【０１２４】
図２１〜図２２に、配置パターン５の場合の立体視画素１２０の制御の例を示す。図２１は、「縦表示モード」の時の立体視画素１２０の発色状態を示す。また、図２２は、「横表示モード」の時の立体視画素１２０の発色状態を示す。「縦表示モード」では、立体視画素１２０の左上に位置するサブ画素を始点として、配置の順番において左から３番目および６番目に配置されている（Ｇの）サブ画素を発色させない制御が行なわれる。一方、図２２に示す「横表示モード」では、立体視画素１２０の左上に位置するサブ画素を始点として、配置の順番において上から２番目及び４番目に配置されている（Ｇの）サブ画素を発色させない制御が行なわれる。つまり、発色制御の対象となるサブ画素に関して、「縦表示モード」のときは、２つの列おきに配置されているサブ画素となる。その一方で、「横表示モード」のときは、１つの行おきに配置されているサブ画素が発色制御の対象となる。すなわち、縦表示モードと横表示モードとでは、発色制御の対象となるサブ画素の間隔が異なっている。
【０１２５】
このような配置パターン５を用いた制御を行なった場合も、上記配置パターン１と同様の効果が得られる。
【０１２６】
このように、第１の実施形態では、立体視画素１２０においてＲＧＢの３原色のサブ画素を上述したようなパターンで配置し、上記のような発色制御を行う。すなわち、ＲＧＢのうちの１色について、他の色のサブ画素数よりも多い数のサブ画素を、上記配置順番において偶数番目に来るように配置している（その具体的配置パターンとして、上述したような例がある）。そして、この偶数番目に配置されたサブ画素を選択的に発色制御している。上記の例では、選択的な発色制御の対象となるのはＧのサブ画素であり、ＲとＢのサブ画素については、「縦画面」の場合でも「横画面」の場合でも発色することになる。これにより、観察者の両眼に入射するＲＧＢの量を、縦画面の場合でも横画面の場合でも、同じように増加あるいは減少させることができる。
【０１２７】
また、上述の各配置パターンは、右眼用の縦並びのサブ画素と、左眼用の縦並びのサブ画素との間に所定の幅の領域を設け、この領域に、発色させる／発色させない制御の対象となるサブ画素を配置している構成であるともいえる。このようにサブ画素間に所定幅を有する領域を設けることで、観察者にきれいに立体視画像を視認させることができ、かつ、当該領域を有効活用することができる。
【０１２８】
なお、他の実施形態では、配置順において偶数番目に配置し、選択的な発色制御の対象とするサブ画素をＲやＢのサブ画素としても良い。このことは、選択的な発色制御の対象とするサブ画素は、Ｒ、Ｇ、Ｂのうちのいずれか１色であるといえる。どの色を制御対象とした場合も、上記と同様の効果が得られる。
【０１２９】
また、他の実施形態では、ＲＧＢのサブ画素の並び順は、上記で示した配置パターンのような順番に限らず、任意の順番であってもよい。例えば、上記配置パターン１では、立体視画素１２０の左上から、縦方向にＲＧＢＧという順番でサブ画素が配置されている。これに限らず、例えばＢＧＲＧという順番で配置しても良い（この場合は、３列目の配置順が、縦にＲＧＢＧの並びとなる）。更には、同じく配置パターン１の例でいうと、サブ画素の数については、Ｒが２つ、Ｂが２つ、Ｇが８つ、となっている。これに限らず、Ｒを８つ、Ｂを２つ、Ｇを２つ、という構成としてもよい（つまり、配置パターン１におけるＲとＧを入れ替えるような構成）。すなわち、ＲＧＢのサブ画素の配置順番は任意でも良い。また、発色させる／させない制御が行なわれるサブ画素は何色であってもよい。
【０１３０】
また、選択的な発色制御の対象とするサブ画素について、上記の例では、一色だけを対象とする例を示していたが（上記例ではＧのサブ画素）、他の実施形態では、選択的な発色制御の対象とするサブ画素を２色とするようにしてもよい。例えば、図２３に示すような配置パターンを利用しても良い。この図では、上記配置パターン１をベースとして、Ｒのサブ画素とＧのサブ画素との２色のサブ画素を選択的な発色制御の対象とした例である。すなわち、偶数列・偶数行目のそれぞれに、ＲとＧのサブ画素が一つずつ配置された例となっている。また、奇数列・奇数行目に関してみると、例えば１列目は上記配置パターン１と同じくＲＧＢＧの順で配置されている。一方、３列目については、配置パターン１とは異なり、ＢＲＧＲという順で配置されている。つまり、配置パターン１の３列目におけるＲとＧを入れ替えた配置となっている。このような配置パターンで上記のような選択的な発色制御を行なった場合でも、上記と同様の効果を得ることはできる。
【０１３１】
（第２の実施形態）
次に、第２の実施形態について説明する。上記第１の実施形態では、ＲＧＢの３原色のサブ画素を用いる例を示した。第２の実施形態では、これに更に白色（以下では「Ｗ」と呼ぶ）のサブ画素を加えたＲＧＢＷのサブ画素を用いる場合をいくつか例示して説明する。なお、更に他の実施形態では、白色の代わりに黄色を用いる構成で、以下に説明するような配置パターンを適用しても良い。
【０１３２】
なお、Ｗのサブ画素を用いる点と、立体視画素１２０におけるサブ画素の配置パターン以外の点、すなわち、表示装置１００のハードウェア構成等については基本的には上記第１の実施形態と同様である。そのため、以下では、ＲＧＢＷを用いた立体視画素１２０におけるサブ画素の配置パターンを中心に説明する。
【０１３３】
（配置パターン６）
図２４は、第２の実施形態に係る立体視画素１２０におけるサブ画素の配置の一例を示す図である。以下では、図２４に示す配置パターンを「配置パターン６」と呼ぶ。また、この図では、画面が「縦画面」である場合を示している。
【０１３４】
図２４に示す立体視画素１２０は、第１の実施形態の場合と同様に水平方向に隣接する２つの画素、すなわち、右眼用画素１２１および左眼用画素１２２とで構成されている。
【０１３５】
当該配置パターン６では、右眼用画素１２１および左眼用画素１２２のそれぞれに６つのサブ画素が含まれており、立体視画素１２０に含まれるサブ画素の数は合計で１２である。この配置パターンは、上記第１の実施形態における配置パターン２と類似しており、上記配置パターン２のサブ画素の環状パターンの外側にＷのサブ画素を４つ配置したようなパターンでもある。具体的には、上記配置パターン２におけるＲおよびＢのサブ画素が存在する行および列に、Ｗのサブ画素を追加配置したパターンとなっている。すなわち、１行目および３行目の右端となる位置にそれぞれＷのサブ画素が配置される。また、１列目および３列目の下端となる位置にもそれぞれＷのサブ画素が配置される。換言すれば、Ｗのサブ画素は、ＲまたはＢのサブ画素に隣接する位置であって、かつ、Ｇのサブ画素には隣接しない位置に配置されている。
【０１３６】
また、立体視画素１２０の左上に位置するサブ画素を始点としてみると、そこから右方向および下方向にそれぞれ、サブ画素がＲ、Ｇ、Ｂ、Ｗの順番（同じ順番）で並ぶように配置されている。
【０１３７】
また、立体視画素１２０全体として見た場合、配置パターン２と同じく、あるサブ画素の色は、立体視画素の左上から右下に延びる対角線に対して実質的に線対称な位置にあるサブ画素の色と同じ色となるような配置となっている。
【０１３８】
また、配置パターン２と同じく、あるサブ画素の色は、立体視画素の特定の位置に実質的に点対称な位置にある画素の色と同じとなるような配置でもある。
【０１３９】
また、配置パターン６では、立体視画素１２０内に配置されるサブ画素それぞれの縦辺・横辺は同じ長さであり、その面積も同じとなっている。そのため、配置パターン６では、縦画面、横画面状態のそれぞれにおいて、観察者からみた水平方向におけるサブ画素の横幅については、ＲおよびＢのサブ画素の横幅と、Ｇのサブ画素の横幅との比率は１：１となる。
【０１４０】
配置パターン６を用いた立体視画素１２０の制御としては、基本的には上記第１の実施形態における制御と同様の制御が行なわれる。
【０１４１】
図２５〜図２６に、配置パターン６の場合の立体視画素１２０の制御の例を示す。図２５は、「縦表示モード」の時の立体視画素１２０の発色状態を示す。また、図２６は、「横表示モード」の時の立体視画素１２０の発色状態を示す。「縦表示モード」では、立体視画素１２０の左上に位置するサブ画素を始点として、配置の順番において左から偶数番目のサブ画素を上下方向に沿って発色させない制御が行なわれる。図２５の例では、左から２列目にあるＧのサブ画素、および、４列目にあるＷのサブ画素を発色させない制御が行なわれる。一方、「横表示モード」では、立体視画素１２０の左上に位置するサブ画素を始点として、上から偶数番目のサブ画素を左右方向に沿って発色させない制御が行なわれる。図２６の例では、上から２行目にあるＧのサブ画素、および、４行目にあるＷのサブ画素を発色させない制御が行なわれる。つまり、上記配置パターン１等の場合と同様に、画像制御部５０は、立体視画素１２０の左上に位置するサブ画素を始点として、配置の順番において偶数番目のサブ画素を、横表示モードであるか縦表示モードであるかに応じて選択的に発色させる／させない、という制御を行なっている。
【０１４２】
なお、配置パターン６では、発色させるサブ画素と発色させないサブ画素の各辺の長さ（幅）は同じである。
【０１４３】
当該配置パターン６を用いた制御を行なった場合も、基本的に、上記配置パターン１と同様の効果が得られる。すなわち、「縦画面」の場合でも「横画面」の場合でも、観察者の視認位置が変化した場合の観察者の両眼に入射するＲＧＢおよびＷの量を同じように増加あるいは減少させることができる。
【０１４４】
（配置パターン７）
次に、サブ画素の配置の更に別の一例について図２７を用いて説明する。以下では、図２７に示す配置パターンを「配置パターン７」と呼ぶ。この図も、画面が「縦画面」である場合を示している。
【０１４５】
図２７で示す配置パターン７は、上述した第１の実施形態の配置パターン４での配置に、Ｗのサブ画素を４つ加えたものとなる。具体的には、上記配置パターン４における１列目のＢのサブ画素の下の位置と、３列目の２行目となる位置と、４列目の１行目および３行目となる位置とに、Ｗのサブ画素を配置したパターンとなっている（いずれも、ＲまたはＢのサブ画素に隣接する位置となる）。また、各サブ画素の大きさは同じ大きさとなっている。そのため、配置パターン７でも、縦画面、横画面状態のそれぞれにおいて、観察者からみた水平方向におけるサブ画素の横幅については、ＲおよびＢのサブ画素の横幅と、Ｇのサブ画素の横幅との比率は１：１となる。
【０１４６】
配置パターン７では、立体視画素１２０の左上（１列１行目の位置）を始点として見た場合、そこから右方向および下方向にそれぞれ、サブ画素がＲ、Ｇ、Ｂ、Ｗの順番（同じ順番）で並ぶように配置されている。
【０１４７】
配置パターン７を用いた立体視画素１２０の制御および得られる効果は、上述した配置パターン５と同様である。図２８〜図２９に、配置パターン７の場合の立体視画素１２０の制御の例を示す。図２８は、「縦表示モード」の時の立体視画素１２０の発色状態を示す。図２９は、「横表示モード」の時の立体視画素１２０の発色状態を示す。「縦表示モード」では、立体視画素１２０の左上に位置するサブ画素を始点として、横方向に偶数番目のサブ画素、図２８の例では、左から２列目にあるＧのサブ画素と４列目にあるＷのサブ画素を発色させない制御が行なわれる。一方、「横表示モード」では、立体視画素１２０の左上に位置するサブ画素を始点として、配置の順番において縦方向に偶数番目のサブ画素、図２９の例では、上から２行目と４行目のＧおよびＷのサブ画素を発色させない制御が行なわれる。
【０１４８】
（配置パターン８）
次に、サブ画素の配置の更に別の一例について図３０を用いて説明する。以下では、図３０に示す配置パターンを「配置パターン８」と呼ぶ。この図も、画面が「縦画面」である場合を示している。
【０１４９】
図３０で示す配置パターン８は、上述した配置パターン３の配置に、Ｗのサブ画素を４つ加えたものとなる。具体的には、配置パターン３において右上から左下に延びる対角線上に位置する４つの未配置領域１２６にＷのサブ画素を配置したパターンとなっている。各サブ画素の大きさは、同じ大きさとなっている。そのため、配置パターン８も、縦画面、横画面状態のそれぞれにおいて、観察者からみた水平方向におけるサブ画素の横幅については、ＲおよびＢのサブ画素の横幅と、Ｇのサブ画素の横幅との比率は１：１となっている。
【０１５０】
また、立体視画素１２０の左上に位置するサブ画素を始点としてみると、そこから右方向および下方向にそれぞれ、サブ画素がＲ、Ｇ、Ｂ、Ｗの順番で並ぶように配置されている。
【０１５１】
配置パターン８を用いた立体視画素１２０の制御および得られる効果も、上述した配置パターン５と同様である。図３１〜図３２に、配置パターン８の場合の立体視画素１２０の制御の例を示す。図３１は、「縦表示モード」の時の立体視画素１２０の発色状態を示す。図３２は、「横表示モード」の時の立体視画素１２０の発色状態を示す。「縦表示モード」では、立体視画素１２０の左上に位置するサブ画素を始点として、横方向に偶数番目のサブ画素、図３１の例では、左から２列目および４列目にあるＧおよびＷのサブ画素を発色させない制御が行なわれる。一方、「横表示モード」では、立体視画素１２０の左上に位置するサブ画素を始点として、配置の順番において縦方向に偶数番目のサブ画素、図３２では、上から２行目および４行目にあるＧおよびＷのサブ画素を発色させない制御が行なわれる。
【０１５２】
（配置パターン９）
次に、サブ画素の配置の更に別の一例について図３３を用いて説明する。以下では、図３３に示す配置パターンを「配置パターン９」と呼ぶ。この図も、画面が「縦画面」である場合を示している。
【０１５３】
図３３で示す配置パターン９は、上述した第１の実施形態の配置パターン５に類似したパターンとなっている。具体的には、配置パターン５の配置にＷのサブ画素を２つ加えたパターンとなっている。当該Ｗのサブ画素の大きさは、ＲやＢのサブ画素と同じ大きさである。その配置位置としては、配置パターン５における４列目であって、ＲまたはＢのサブ画素に隣接する位置に配置される。
【０１５４】
次に、配置パターン９を用いた立体視画素１２０の制御について説明する。基本的には、上述した各配置パターンと同様、立体視画素１２０の左上に位置するサブ画素を始点として、配置の順番において偶数番目のサブ画素（図３３では、いずれかのＧのサブ画素となる）を、「縦表示モード」であるか「横表示モード」であるかに応じて選択的に発色させる／させない、という制御を行なっている。
【０１５５】
図３４〜図３５に、配置パターン９の場合の立体視画素１２０の制御の例を示す。図３４は、「縦表示モード」の時の立体視画素１２０の発色状態を示す。図３５は、「横表示モード」の時の立体視画素１２０の発色状態を示す。「縦表示モード」では、立体視画素１２０の左上に位置するサブ画素を始点として、横方向で偶数番目のサブ画素、図３４の例では、左から２列目にあるＧのサブ画素と４列目にあるＷのサブ画素を発色させない制御が行なわれる。一方、「横表示モード」では、立体視画素１２０の左上に位置するサブ画素を始点として、配置の順番において縦方向で偶数番目のサブ画素、図３５の例では、上から２行目と４行目のＧのサブ画素を発色させない制御が行なわれる。なお、この配置パターン９の場合、上記の配置パターン６〜８とは異なり、Ｗのサブ画素については、「横画面」では発色されるが「縦画面」では発色されないという制御が行なわれることになる。しかしながら、Ｒ、Ｇ、Ｂのサブ画素に関しては、上記の各配置パターンと同様の効果が得られる。なお、Ｗのサブ画素が、縦／横画面によって発色される／されないという点に鑑みて、他の実施形態では、次のような制御を行なっても良い。すなわち、ＲＧＢとＲＧＢＷの対応関係を予め設定しておき、その対応関係に応じてＲＧＢＷの発色を制御するようにしても良い。例えば、ＲＧＢだけで白色を表現させる場合と、ＲＧＢＷを用いて白色を表現させる場合とのＲＧＢＷそれぞれの値の対応関係を予め設定しておき、これに基づいた制御を行なっても良い。
【０１５６】
（配置パターン１０）
次に、サブ画素の配置の更に別の一例について図３６を用いて説明する。以下では、図３６に示す配置パターンを「配置パターン１０」と呼ぶ。この図も、画面が「縦画面」である場合を示している。
【０１５７】
図３６で示す配置パターン１０は、上述した配置パターン９の配置に類似したパターンとなっている。具体的には、配置パターン９において、３行目にあるＧのサブ画素とＷのサブ画素の位置を入れ替えた配置パターンとなっている。その他の点については、上記配置パターン９と同様である。
【０１５８】
また、配置パターン１０を用いた立体視画素１２０の制御も、配置パターン９と同様である。すなわち、立体視画素１２０の左上に位置するサブ画素を始点として、配置の順番において偶数番目のサブ画素（図３６では、いずれかのＧのサブ画素となる）を、縦表示モードであるか横表示モードであるかに応じて選択的に発色させる/させない、という制御を行う。
【０１５９】
図３７〜図３８に、配置パターン１０の場合の立体視画素１２０の制御の例を示す。図３７は、「縦表示モード」の時の立体視画素１２０の発色状態を示す。図３８は、「横表示モード」の時の立体視画素１２０の発色状態を示す。「縦表示モード」では、立体視画素１２０の左上に位置するサブ画素を始点として、横方向で偶数番目のサブ画素、図３７の例では、左から２列目と４列目にあるＧおよびＷのサブ画素を発色させない制御が行なわれる。一方、「横表示モード」では、立体視画素１２０の左上に位置するサブ画素を始点として、配置の順番において縦方向で偶数番目のサブ画素、図３８の例では、上から２行目と４行目のＧのサブ画素を発色させない制御が行なわれる。なお、Ｗのサブ画素については、配置パターン９と同様に、「横画面」では発色されるが「縦画面」では発色されないという制御が行なわれることになる。Ｒ、Ｇ、Ｂのサブ画素に関しては、上記の各配置パターンと同様の効果が得られる。
【０１６０】
このように、第２の実施形態では、立体視画素１２０の構成として、ＲＧＢに加えてＷのサブ画素を用いる構成としている。これにより、観察者の両眼の位置が、立体視表示の視認に適正な位置から多少左右に変化した場合でも、観察者の両眼に入射するＲＧＢの量を同じように増加あるいは減少させることができる。また、上記配置パターン６〜１０を用いる場合は、Ｗのサブ画素についても同様の効果を得ることができる。
【０１６１】
なお、上述した各種の配置パターンの例では、サブ画素の形状が正方形や長方形（四角形）である場合を例示しているが、これに限らず、サブ画素の形状については、円形や楕円形であっても良い。更には、他の多角形の形状であっても良い。図３９は、配置パターン１において、サブ画素の形状が異なるものの例である。このような形状を用いた場合でも、上記と同様の効果を得ることができる。
【０１６２】
また、サブ画素の面積（大きさ）についても、上記の例に限らず、その大きさは変化しても良い。上記のような配置パターンになるのであれば、サブ画素の大きさはどのような大きさでも良い。
【０１６３】
また、上記配置パターン１では、左上から数えて奇数番目の列・行にＲ、Ｇ，Ｂのサブ画素を配置し、偶数番目の列にはＧのサブ画素のみを配置している。他の実施形態では、このパターンを左右に反転させた配置としても良い。図４０は、配置パターン１を左右に反転させた配置パターンの例である。このパターンでは、サブ画素の配置については右上から左下に延びる対角線に対して線対称となっている。また、立体視画素の制御に関しては、左上を始点として奇数番目の行・列に位置するサブ画素が、発色させる/させないの制御対象となる。また、この他、上下を反転させた配置パターンとしても良い。すなわち、配置パターン１における１〜４行目が、逆の順番で上から並べられるような配置としても良い。更には、上下左右を反転させた配置パターンとしても良い。
【０１６４】
また、表示装置１００は、立体画像の他、平面画像も表示可能に構成されていても良い。例えば、上記液晶ディスプレイは、立体視の視点の数に応じた複数の視差画像を表示する状態と、全体として１つの平面画像を表示する状態とをそれぞれ選択的に形成するよう構成しても良い。そして、立体画像の表示と平面画像の表示とを観察者が切り替え可能に構成しても良い。このような場合に、上述したような配置パターンのサブ画素を平面画像の表示にも利用することになるが、これに関して、次のような構成を採用しても良い。例えば、上記配置パターン１における未配置領域１２６に、平面画像を表示するときにのみ利用されるサブ画素を配置するようにしても良い。図４１に、このような配置パターンの例を示す。図４１の例では、上記配置パターン１における未配置領域１２６に白色のサブ画素を配置したパターンとなっている。このような配置パターンにおいて、当該白色のサブ画素については、立体視表示を行なうときは使用せず、平面画像を表示するときにのみ利用するように制御すれば良い。これにより、平面画像を表示する場合に、画面の明るさを増加させたり、あるいは、バックライトによる電力消費を軽減させたりすることも可能となる。
【０１６５】
また、上述した実施形態では、３色以上のサブ画素が立体視画素１２０に含まれている場合を例示していた。他の実施形態では、立体視画素１２０に含まれるサブ画素の色が２色だけであってもよい。この場合であっても、観察者の両眼に入射する色の量を同じ割合で増加あるいは減少させることができる。
【０１６６】
また、上記実施例では、縦画面用パララックスバリア３０Ａと横画面用パララックスバリア３０Ｂの２つのバリアを用いる場合を例として示しているが、他の実施例では、これを１つのバリアで実現するようにしても良い。例えば、図４２に示すように、四角形状のバリアをマトリックス状に配置した（全体として）１つのパララックスバリアを用いる。そして、縦画面状態であるか横画面状態であるかに応じてマトリックス状に配置した各バリアを個別にオン／オフする制御を行なうようにしても良い。図４３に、縦画面状態の場合の当該バリアの制御例を示し、図４４に、横画面の場合の当該バリアの制御例を示す。図４２は、２、４、６、８列目のバリアをオンにしている状態を示す。図４３は、２、４行目のバリアをオンにしている状態を示す。このような制御により、１枚のパララックスバリアで縦画面用と横画面用のパララックスバリアの双方の機能を実現するような構成であっても良い。
【符号の説明】
【０１６７】
１０    画像表示部
５０    画像制御部
６０    判別部
１００  表示装置
【図１】
0006666657.tif 000002
【図２】
0006666657.tif 000003
【図３】
0006666657.tif 000004
【図４】
0006666657.tif 000005
【図５】
0006666657.tif 000006
【図６】
0006666657.tif 000007
【図７】
0006666657.tif 000008
【図８】
0006666657.tif 000009
【図９】
0006666657.tif 000010
【図１０】
0006666657.tif 000011
【図１１】
0006666657.tif 000012
【図１２】
0006666657.tif 000013
【図１３】
0006666657.tif 000014
【図１４】
0006666657.tif 000015
【図１５】
0006666657.tif 000016
【図１６】
0006666657.tif 000017
【図１７】
0006666657.tif 000018
【図１８】
0006666657.tif 000019
【図１９】
0006666657.tif 000020
【図２０】
0006666657.tif 000021
【図２１】
0006666657.tif 000022
【図２２】
0006666657.tif 000023
【図２３】
0006666657.tif 000024
【図２４】
0006666657.tif 000025
【図２５】
0006666657.tif 000026
【図２６】
0006666657.tif 000027
【図２７】
0006666657.tif 000028
【図２８】
0006666657.tif 000029
【図２９】
0006666657.tif 000030
【図３０】
0006666657.tif 000031
【図３１】
0006666657.tif 000032
【図３２】
0006666657.tif 000033
【図３３】
0006666657.tif 000034
【図３４】
0006666657.tif 000035
【図３５】
0006666657.tif 000036
【図３６】
0006666657.tif 000037
【図３７】
0006666657.tif 000038
【図３８】
0006666657.tif 000039
【図３９】
0006666657.tif 000040
【図４０】
0006666657.tif 000041
【図４１】
0006666657.tif 000042
【図４２】
0006666657.tif 000043
【図４３】
0006666657.tif 000044
【図４４】
0006666657.tif 000045